(57)【要約】【課題】  上方高所の着脱を容易且つ確実になし得るとともに片持ち屋根の揺動に応じた騒音の発生を防止し得るようにしたカーポートにおけるサポート柱の上吊支持金具を提供する。【解決手段】  サポート柱２を屋根１２先端側に上吊支持する上吊支持金具３を、梁１３の長手方向先端部位の吊持金具４と、サポート柱２上端用の係脱金具５によって形成する。吊持金具４には、断面Ｕ字状の底板４１３の下面に厚肉板状にして平面小判形状の固定軸４２と、その下位に下支え板４３を配置してあり、係脱金具５には、その天板５１３に固定軸４２の幅に合せて奥行方向先端を円弧とした係脱溝５１４を配置してある。天板５１３を、吊持金具４の底板４１３と下支え板４３間に挿入し且つサポート柱２を１／４円回動して、係脱溝５１４の円弧を固定軸４２に係合することにより、サポート柱２の吊支持を行なう。【選択図】  図２
2010138556.tif 000002
【特許請求の範囲】
【請求項１】
前枠の長手方向中間部位又は梁の長手方向先端部位設置用の吊持金具と、サポート柱上端用の係脱金具とを備え、上記吊持金具を、上記前枠又は梁に対して直接又は間接に取付自在の金具基部と、該金具基部の底板下面に配置した同一の半径及び角度の対向円弧辺と、該対向円弧辺の端部を平行に結ぶ対向平行辺とを有して平面小判形状をなす厚肉板状の固定軸と、該固定軸に向けて外周から上向き傾斜したガイド面を有して該固定軸下面に配置した下支え板とを備えて形成し、上記係脱金具を、サポート柱の上端に取付自在にして上記厚肉板状の固定軸と略同等肉厚の金具基部と、該金具基部の天板に配置した上記対向円弧辺の半径と略同等の円弧孔とその円周の一側片側に配置した上記対向平行辺の間隔と略同等幅の開口溝による係脱溝を備えて形成してなることを特徴とするカーポートのサポート柱上吊支持金具。
【請求項２】
上記吊持金具の金具基部を、上記梁を受入れる受入溝を形成して対向する起立片及び該起立片下端の底板を備えた断面Ｕ字状とし且つ上記対向する起立片に貫通ボルトを挿通するボルト透孔を備えて梁に対してその長手方向に回動する直接取付用として構成してなることを特徴とする請求項１に記載のカーポートのサポート柱上吊支持金具。
【請求項３】
上記吊持金具の金具基部を、上記前枠に固定した上位金具を受入れる受入溝を形成して対向する起立片及び該起立片下端の底板を備えた断面Ｕ字状とし且つ上記対向する起立片に貫通ボルトを挿通するボルト透孔を備えて前枠に対してその交差方向に回動する間接取付用として構成してなることを特徴とする請求項１に記載のカーポートのサポート柱上吊支持金具。
【請求項４】
上記係脱金具を、サポート柱の対向側面の上端にそれぞれ重合固定する対向する固定片及び該固定片の上方に突出した天板を備えた断面逆Ｕ字状とし且つ上記対向する固定片にそれぞれ対向側面固定用のネジ透孔を備えてなることを特徴とする請求項１、２又は３に記載のカーポートのサポート柱上吊支持金具。
【請求項５】
請求項１乃至４のいずれかに記載のサポート柱上吊支持金具を用い、その吊持金具を前枠の長手方向中間部位又は梁の長手方向先端部位に、係脱金具をサポート柱上端にそれぞれ設置することによって、該サポート柱を該前枠又は梁に上吊支持自在としてなることを特徴とするカーポート。
【発明の詳細な説明】
【技術分野】
【０００１】
本発明は、カーポートのサポート柱上吊支持金具及びこれを用いたカーポートに関する。
【背景技術】
【０００２】
カーポート、特に片持ち屋根を有するカーポートにおいては、その屋根先端側と地表との間のサポート柱を配置することによって、該屋根の耐風圧性や耐荷重性を確保するものとされ、このとき該サポート柱は、例えば前枠の長手方向中間部位に対して上吊支持金具を、地表に対して地表支持金具を介してそれぞれその配置を行なうものとしてある。上吊支持金具は、下記特許文献１に示されるように、屋根先端部位の、例えば前枠長手方向中間部位設置用の吊持金具と、サポート柱上端用の係脱金具とを備え、上記吊持金具を、該前枠に取付自在の金具基部と、該金具基部の底部をなす底板にＩ字状溝を配置するとともにその長手方向中央に円形孔を配置して鍵穴状の係脱溝とを備えて形成し、上記係脱金具を、サポート柱の上端に取付自在の金具基部と、該金具基部の天板に起立した、上記円形孔と略同等の径の起立軸及び該起立軸の上方に該起立軸と直交してその両側に同一線上に位置するように突出した上記Ｉ字溝の幅と略同等の径の交差軸によって断面Ｔ字状乃至十字状をなす引掛軸を備えて形成したものとされ、該上吊支持金具によるサポート柱の吊支持は、その上端の係脱金具の引掛軸を屋根先端側の吊持金具の係脱溝に挿通し、サポート柱を１／４円回動して、その引掛軸の交差軸を係脱溝のＩ字溝位置からずらすようにして、該吊持金具における金具基部の天板に該交差軸を載置してその支持を行なうものとされている。
【０００３】
【特許文献１】特開平９−２２１９２９号公報
【発明の開示】
【発明が解決しようとする課題】
【０００４】
この場合、屋根の耐風圧性、耐荷重性を確保することができるが、長尺のサポート柱の上端にＴ字条乃至十字状に起立した係合金具の引掛軸を、上方高所の上吊支持金具の天板に配置した係脱溝に挿入し、また取外すのは必ずしも容易になし得るとはいえず、従って、常時サポート柱を設置する場合は別としても、必要な時期にサポート柱を設置し、不必要な時期に取外すように、サポート柱の設置と取外しを行なう場合には煩雑な作業を伴う結果となり易いという問題点が残されている。
【０００５】
またサポート柱は、地表支持金具との間で屋根先端側と地表間の距離に応じた長さの調整をなし得るように伸縮自在のものとされるが、該屋根先端部位と地表間の距離とサポート柱の長さが一致する場合は別としても、これらの間に誤差を生じることが多く、この場合、例えば風圧によって屋根が揺動すると、これに応じて引掛軸が上吊支持金具の天板との間で揺動して騒音を発生し易いという問題点が残されている。
【０００６】
本発明はかかる事情に鑑みてなされたもので、その解決課題とするところは、上記前枠の長手方向中間部位又は梁の長手方向先端部位設置用の吊持金具と、サポート柱上端用の係脱金具とを備え、上記屋根先端部位の吊持金具に対するサポート柱上端用の係脱金具との上方高所における係脱を可及的容易且つ確実になし得るようにするとともに屋根先端部位と地表間の距離とサポート柱の長さとの間に誤差を生じても屋根の揺動に応じた騒音の発生を可及的有効に防止し得るようにしたカーポートのサポート柱上吊支持金具を提供するにあり、また該サポート柱上吊支持金具を用いたカーポートを提供するにある。
【課題を解決するための手段】
【０００７】
上記課題に沿って本発明は、片持ち屋根の先端側に位置する前枠の長手方向中間部位又は梁の長手方向先端部位に設置する吊持金具の底板下面に平面小判形状をなす厚肉板状の固定軸を、その下面に上向き傾斜のガイド面を備えた下支え板を配置する一方、サポート柱上端に設置する係脱金具を、該固定軸と略同等の肉厚の金具基部、即ち上記底板と下支え板間の間隔に応じてこれらの間に挿入し得るようにした金具基部の天板に、上記平面小判形状の固定軸の対向する平行な辺を受け入れ、サポート柱を１／４円回動することにより対向する円弧の辺が嵌合するようにした係脱溝を配置することによって、上方高所の吊持金具における定位置の固定軸に、サポート柱の係脱溝の溝開口を向けて、該サポート柱を倒すようにして、その係脱を可及的容易に行えるようにするとともに屋根の揺動に伴う吊持金具と係脱金具の揺動の要因を可及的になくして、騒音の発生を抑止するようにしたものであって、即ち請求項１に記載の発明を、前枠の長手方向中間部位又は梁の長手方向先端部位設置用の吊持金具と、サポート柱上端用の係脱金具とを備え、上記吊持金具を、上記前枠又は梁に対して直接又は間接に取付自在の金具基部と、該金具基部の底板下面に配置した同一の半径及び角度の対向円弧辺と、該対向円弧辺の端部を平行に結ぶ対向平行辺とを有して平面小判形状をなす厚肉板状の固定軸と、該固定軸に向けて外周から上向き傾斜したガイド面を有して該固定軸下面に配置した下支え板とを備えて形成し、上記係脱金具を、サポート柱の上端に取付自在にして上記厚肉板状の固定軸と略同等肉厚の金具基部と、該金具基部の天板に配置した上記対向円弧辺の半径と略同等の円弧孔とその円周の一側片側に配置した上記対向平行辺の間隔と略同等幅の開口溝による係脱溝を備えて形成してなることを特徴とするカーポートのサポート柱上吊支持金具としたものである。
【０００８】
請求項２及び３に記載の発明は、上記に加えて、それぞれ吊持金具を可及的簡易にして屋根先端部位に確実な設置を行なうとともに前枠又は梁にカーポートの車両進入方向側面に向けて回動するようにして、屋根先端部位と地表との間に自由な角度でサポート柱を設置し得るものとするように、請求項２に記載の発明を、上記吊持金具の金具基部を、上記梁を受入れる受入溝を形成して対向する起立片及び該起立片下端の底板を備えた断面Ｕ字状とし且つ上記対向する起立片に貫通ボルトを挿通するボルト透孔を備えて梁に対してその長手方向に回動する直接取付用として構成してなることを特徴とする請求項１に記載のカーポートのサポート柱上吊支持金具とし、請求項３に記載の発明を、上記吊持金具の金具基部を、上記前枠に固定した上位金具を受入れる受入溝を形成して対向する起立片及び該起立片下端の底板を備えた断面Ｕ字状とし且つ上記対向する起立片に貫通ボルトを挿通するボルト透孔を備えて前枠に対してその交差方向に回動する間接取付用として構成してなることを特徴とする請求項１に記載のカーポートのサポート柱上吊支持金具としたものである。
【０００９】
請求項４に記載の発明は、同じく上記に加えて、係脱金具を同じく可及的簡易にしてサポート柱に確実な設置をなし得るものとするように、これを、上記係脱金具を、サポート柱の対向側面の上端にそれぞれ重合固定する対向する固定片及び該固定片の上方に突出した天板を備えた断面逆Ｕ字状とし且つ上記対向する固定片にそれぞれ対向側面固定用のネジ透孔を備えてなることを特徴とする請求項１、２又は３に記載のカーポートのサポート柱上吊支持金具としたものである。
【００１０】
請求項５に記載の発明は、該サポート柱上吊支持金具を用いることによって、上記前枠又は梁の吊持金具に対するサポート柱上端用の係脱金具との上方高所の係脱を可及的容易且つ確実になし得るようにするとともに屋根先端部位と地表間の距離とサポート柱の長さとの間に誤差を生じても屋根の揺動に応じた騒音の発生を可及的有効に防止し得るようにしたカーポートを提供するように、これを、請求項１乃至４のいずれかに記載のサポート柱上吊支持金具を用い、その吊持金具を前枠の長手方向中間部位又は梁の長手方向先端部位に、係脱金具をサポート柱上端にそれぞれ設置することによって、該サポート柱を該前枠又は梁に上吊支持自在としてなることを特徴とするカーポートとしたものである。
【発明の効果】
【００１１】
本発明は以上のとおりに構成したので、請求項１に記載の発明は、片持ち屋根の先端側に位置する前枠の長手方向中間部位又は梁の長手方向先端部位に設置する吊持金具の底板下面に平面小判形状をなす厚肉板状の固定軸を、その下面に上向き傾斜のガイド面を備えた下支え板を配置する一方、サポート柱上端に設置する係脱金具を、該固定軸と略同等の肉厚の金具基部、即ち上記底板と下支え板間の間隔に応じてこれらの間に挿入し得るようにした金具基部の天板に、上記平面小判形状の固定軸の対向する平行な辺を受け入れ、サポート柱を１／４円回動することにより対向する円弧の辺が嵌合するようにした係脱溝を配置することによって、上方高所の吊持金具における定位置の固定軸に、サポート柱の係脱溝の溝開口を向けて、該サポート柱を倒すようにして、その係脱を可及的容易に行えるようにするとともに屋根の揺動に伴う吊持金具と係脱金具の揺動の要因を可及的になくして、騒音の発生を抑止し得るようにして、上方高所における係脱を可及的容易且つ確実になし得るとともに屋根の揺動による騒音の発生を可及的有効に防止し得るようにしたカーポートのサポート柱上吊支持金具を提供することができる。
【００１２】
請求項２及び３に記載の発明は、上記に加えて、それぞれ吊持金具を可及的簡易にして屋根先端部位に確実な設置を行なうとともに前枠又は梁にカーポートの車両進入方向側面に向けて回動するようにして、屋根先端部位と地表との間に自由な角度でサポート柱を設置し得るものとすることができ、請求項４に記載の発明は、同じく上記に加えて、係脱金具を同じく可及的簡易にしてサポート柱に確実な設置をなし得るものとすることができる。
【００１３】
請求項５に記載の発明は、該サポート柱上吊支持金具を用いることによって、上記上方高所における係脱を可及的容易且つ確実になし得るとともに屋根の揺動による騒音の発生を可及的有効に防止し得るようにしたカーポートを提供することができる。
【発明を実施するための最良の形態】
【００１４】
以下図面の例に従って本発明を更に具体的に説明すれば、１はカーポート、１１はその支柱、１２は該支柱１１に支持した片持ち屋根、１３は該片持ち屋根の支柱１１から突出した屋根構造材の梁、１４は前枠であり、また２は該屋根先端部位と地表間に配置して片持ち屋根１２の耐風圧性や耐荷重性を確保するようにした、上下に一対にして相互にスライド自在の中空柱材２１、２２を、図示省略の長さ調整具で上記屋根先端部位と地表間の距離に調整自在としたサポート柱であり、該カーポート１は、サポート柱上吊支持金具３を用い、その吊持金具４を、前枠の長手方向中間部位又は梁の長手方向先端部位、本例にあっては梁１３の長手方向先端部位に、係脱金具５をサポート柱２上端にそれぞれ設置することによって、該サポート柱２を該梁１３に上吊支持自在としたものとしてある。
【００１５】
サポート柱上吊支持金具３は、前枠の長手方向中間部位又は梁の長手方向先端部位設置用の吊持金具４と、サポート柱２上端用の係脱金具５とを備えたものとしてあり、上記吊持金具４は、これを、上記前枠又は梁に対して直接又は間接に取付自在、本例にあっては梁１３に対して直接に取付自在の金具基部４１と、該金具基部４１の底板４１３下面に配置した同一の半径及び角度の対向円弧辺と、該対向円弧辺の端部を平行に結ぶ対向平行辺とを有して平面小判形状をなす厚肉板状の固定軸４２と、該固定軸４２に向けて外周から上向き傾斜したガイド面４３１を有して該固定軸４２下面に配置した下支え板４３とを備えて形成してあり、また上記係脱金具５は、これを、サポート柱２の上端に取付自在にして上記厚肉板状の固定軸４２と略同等肉厚の金具基部５１と、該金具基部５１の天板５１３に配置した上記対向円弧辺の半径と略同等の円弧孔とその円周の一側片側に配置した上記対向平行辺の間隔と略同等幅の開口溝による係脱溝５１４を備えて形成してある。
【００１６】
本例にあって上記吊持金具４の金具基部４１は、これを、梁１３を受入れる受入溝を形成して対向する起立片４１１及び該起立片４１１下端の底板４１３を備えた断面Ｕ字状とし且つ上記対向する起立片４１１に貫通ボルトを挿通するボルト透孔４２１を備えて梁１３に対してその長手方向に回動する直接取付用として構成したものとし、上記係脱金具５は、これを、サポート柱２の対向側面上端にそれぞれ重合固定する対向する固定片５１１及び該固定片５１１の上方に突出した天板５１３とを備えた断面Ｕ字状とし且つ上記対向する固定片５１１にそれぞれその固定用のネジ透孔５１２を備えたものとしてある。
【００１７】
本例の吊持金具４は、上記金具基部４１、固定軸４２、下支え板４３及び該下支え板４３を固定軸４２を介して金具基部４１に固定する固定ボルト４４を備えたものとしてあり、このとき金具基部４１は、例えば２〜３ｍｍ程度の厚肉の鋼板を上記断面Ｕ字状に屈曲加工して、その起立片４１１と底板４１３とによって梁１３を受入れる、例えば６ｃｍ程度の溝幅の上記受入溝を形成するとともに該起立片４１１の面内に、例えば２ｍｍ径程度のボルト透孔４１２を透設するとともに底面に台形状に隆起した隆起部を形成し、該隆起部に底面のナット孔を形成したものとしてある。
【００１８】
固定軸４２は、数ｍｍ、例えば４〜５ｍｍ程度の、上記金具基部４１より更に厚肉の鋼板を上記平面小判状の形状に打抜くとともに面内に上記固定ボルト４４を挿通するボルト透孔４２１を透設したものとしてあり、本例にあって該固定軸４２は、その対向平行辺の間隔を１〜２ｃｍ程度、例えば１．５ｃｍとし、対向円弧辺の半径を１ｃｍ程度、角度を１／４〜１／３円、本例にあっては１１０度としたものとし、従って対向平行辺間中央位置における対向円弧辺の最大間隔を２ｃｍ程度としたものとしてある。
【００１９】
下支え板４３は、上記固定軸４２より広面積にして、上記金具基部４１との間で係脱金具５を下支え支持し得るようにした、同じく例えば２〜３ｍｍ程度の厚肉の鋼板に、例えばプレス加工して平板面４３２と、該平板面４３２外周の上記上向き傾斜のガイド面４３１と、平板面４３２の面内のナット孔を備えたものとしてあり、本例にあって該下支え板４３は、例えば逆皿状をなす平面円盤形状のものとしてある。このとき該下支え板４３は、例えば、その外径を４ｃｍ程度、平板面４３２の径を３ｃｍ程度、ガイド面４３１を、例えば平板面４３２から下向きに３０度程度の角度とし且つ０．５ｃｍ程度の幅を有するものとしてある。
【００２０】
吊持金具４は、その金具基部４１底板のナット孔にボルト透孔４２１の位置を合せて固定軸４２を配置し、その複数箇所でスポット溶接を施すことによって該金具基部４１の底板４１３下面に溶着固定して該金具基部４１に一体化し、下支え板４３は、予めそのナット孔に固定ボルト４４を螺装した状態で、該固定ボルト４４のボルト軸を固定軸４２のボルト透孔４２１を介して金具基部４１のナット孔に螺装し、該金具基部４１の受入溝の溝内で隆起部から突出したボルト軸を該隆起部に対して溶接することによって同じく該金具基部４１に一体化してある。
【００２１】
このとき上記固定軸４２は、断面Ｕ字状の起立片側に対向円弧辺が位置して、対向平行辺が該起立片と交差するようにこれを固定する一方、金具基部４１の底板４１３下面には、サポート柱２の装着に際して吊持金具４に対する係脱金具５の挿入方向として対向平行辺と同一方向に向けて、後述の上方高所の係脱を容易化するように矢印による挿入表示４１４を付したものとしてある。
【００２２】
一方、本例の係脱金具５は、上記金具基部５１、該金具基部５１の天板５１３に配置した係脱溝５１４を備えたものとしてあり、このとき金具基部５１は、上記吊持金具４における固定軸４２の肉厚に合せて、これより僅かに薄い数ｍｍ、例えば３．５〜４．５ｍｍ程度の厚肉の鋼板を上記断面逆Ｕ字状に屈曲加工して、その固定片の面内に各複数箇所のリベット透孔乃至ナット孔を透設するとともにその天板に上記係脱溝５１４を配置したものとしてある。
【００２３】
即ち金具基部５１は、方形乃至矩形断面のサポート柱２の中空部に嵌合し得る程度の幅と奥行を有する平面方形乃至矩形の上記逆Ｕ字状として、固定片５１１上端を繋ぐ天板５１３を、上記吊持金具４の金具基部４１の底板４１３と下支え板４３の間に挿入係合する挿入部位としてある。一方、該挿入部位をなす天板５１３の面内に配置した係脱溝５１４は、その円弧孔を、上記吊持金具４における固定軸４２の上記１ｃｍ程度の半径に合せて、これより僅かに大きい略１ｍｍ強の半径とし、例えば角度を３／４〜２／３円、本例にあっては２５０度弱としてあり、その一側片側に配置した開口溝は、その幅を、固定軸４２の対向平行辺の間隔より僅かに大きい１．５ｃｍ強（上記半径略１ｃｍの角度で示すと１１０度強）にして、非円弧側を天板の端部に開口し且つ該端部側を上記固定軸４２の受入を容易になし得るように傾斜拡開した受入ガイド５１５を配置したものとしてある。
【００２４】
前枠の長手方向中間部位又は梁の長手方向先端部位、本例にあって梁１３の長手方向先端部位に対する吊持金具４の配置は、その金具基部４１のＵ字状溝に梁１２を受入れて、金具基部４１の起立片４１１のボルト透孔４２１から梁に透設した透孔を介して貫通ボルト２３を貫通し、該貫通ボルト２３の先端にナット２３１を締着することによって、これを行なうものとし、またサポート柱２の上端への係脱金具５の配置は、その金具基部５１の対向する固定片５１１をサポート柱２の中空部に挿入し、サポート柱２の対向側面から固定片５１１のリベット透孔乃至ナット孔に対するリベット止め又はネジ止めによって、これを行なうものとしてある。
【００２５】
屋根先端部位に対するサポート柱２の装着は、サポート柱２を手持ちして、その係脱金具５の上記係脱溝５１４の開口溝を梁１３の吊持金具４、特にその上記矢印の挿入表示４１４に従った固定軸４２側に向けた状態で、その金具基部５１を、吊持金具４の底板４１３と下支え板４３間に挿入し、係脱溝５１４の開口溝に該固定軸４２の対向平行辺を受け入れた上、サポート柱２を１／４円回動することによって、その対向円弧辺を、係脱溝５１４の奥行方向先端に位置する円弧孔に嵌合することによって、該係脱溝５１４を固定軸４２に抜止め固定して、その吊支持を行うようにし、その後に地表支持金具６を介してサポート柱２の下端を地表に支持すればよい。またサポート柱２を取外すときは、逆にサポート柱２の下端を地表から外して、該サポート柱２を１／４円回動し、開口溝に対向平行辺を受入れるようにして、吊持金具４から係脱金具５を引抜くようにすればよい。
【００２６】
本例のサポート柱２にあって、その地表に対する支持を行う上記地表支持金具６は、図１３に示すように、地表埋込設置の受具６１の凹陥部に配置した支持杆６１１に、サポート柱２の下端に固定した係止金具６２を引掛け係止し、落し棒６３によってその抜け止めを行うものとしてあり、このとき該係止金具６２は、同じく比較的厚肉の鋼板によって断面Ｕ字状に屈曲加工した金具基部６２１と、該金具基部６２１の一対の対向片に上記支持杆６１１を受け入れるコ字状溝６２２を配置したものとしてあり、このとき該地表支持金具６は、上記サポート柱２を１／４円回動して上吊支持金具３によって該サポート柱２を上吊支持した状態で、上記コ字状溝６２２が支持杆６１１を受け入れるように、その開口を上記上吊支持金具３の係脱金具５の係脱溝５１４と交差方向に向けたものとしてある。
【００２７】
図中２４は、サポート柱２の上記上下に一対のうち上位の中空柱材２１における長手方向上端及び下端にネジ固定して該上位の中空柱材２１の端部をスカート部位によって被覆した、例えば樹脂成形体による小口キャップであり、このとき該小口キャップ２４は、上記上位の中空柱材２１の側面に形成した幅広溝２１１を覆うことによってサポート柱２における上位の中空柱材２１の上下端にそれぞれ下向き開口のフック受孔２４１を配置してあり、カーポート１の支柱１１に固定したＳ字状金具２５の上向きフックに該フック受孔を引掛係止することによって、取外し時にスライドして短尺化したサポート柱２を支柱１１側面に対して添設収納し得るようにしてある。また図中２６は上記上下に一対の中空柱材２１、２２の長さを調整して双方を伸縮自在としてサポート柱２を短尺化し得るように、上下に一対のうち下位の中空柱材２２に所定ピッチで多数透設した調整穴に上位の中空柱材２１の外側面定位置から挿入した固定金具、本例にあっては蝶ナットである。
【００２８】
以上のように構成した本例のサポート柱上吊支持金具３にあって、（１）吊持金具４及び係脱金具５はそれぞれの肉厚に応じた鋼板に、プレス加工、溶接加工等の比較的簡易な加工を施して比較的単純な形状と構造のものとして形成したから、耐久性に富むとともにサポート柱２の上吊支持をトラブルなく確実に行うことができ、（２）屋根１２先端部位に設置する吊持金具４の底板４１３下面に平面小判形状をなす厚肉板状の固定軸４２を、その下面に上向き傾斜のガイド面４３１を備えた下支え板４３を配置する一方、サポート柱２上端に設置する係脱金具５を、該固定軸４２と略同等の肉厚の金具基部５１、即ち上記底板４１３と下支え板４３間の間隔に応じてこれらの間に挿入し得るようにした金具基部５１の天板５１３に、上記平面小判形状の固定軸４２の対向する平行な辺を受け入れ、サポート柱２を１／４円回動することによって対向する円弧の辺が嵌合するようにした係脱溝５１４を配置することによって、上方高所の吊持金具４における定位置の固定軸４２に、サポート柱２の係脱溝５１４の溝開口を向けて、その係脱を可及的容易に行えるようにするとともに、サポート柱２を所定ピッチで伸縮自在として、屋根１２先端部位と地表間の距離に対してピッチの誤差を生じても、片持ち屋根１２の揺動に伴って吊持金具４と係脱金具５が揺動することなく、該揺動による騒音の発生を抑止することができ、（３）吊持金具４の金具基部４１の底板４１３下面に、サポート柱２の装着に際して吊持金具４に対する係脱金具５の挿入方向として対向平行辺と同一方向に向けた挿入表示４１４を配置したから、サポート柱２の係脱を屋根１２先端部位の上方高所で行うについて、その作業を容易且つ確実に行うことができ、（４）上位の中空柱材２１の上下端に小口キャップ２４を設置したから、サポート柱２の着脱時に小口が露出することによる危険を解消することができる。
【００２９】
図示した例は以上のとおりとしたが、上記吊持金具を前枠の長手方向中間部位設置用とするように、吊持金具の金具基部を、上記前枠に固定した上位金具を受入れる受入溝を形成して対向する起立片及び該起立片下端の底板を備えた断面Ｕ字状とし且つ上記対向する起立片に貫通ボルトを挿通するボルト透孔を備えて前枠に対してその交差方向に回動する間接取付用、即ち前枠に対して上記上位金具を介してその交差方向に回動するようにしたものとして構成すること、吊持金具の金具基部を断面Ｌ字状、係脱金具の金具基部を断面逆Ｌ字状に構成し、それぞれ前枠又は梁、サポート柱に起立片を固定して、底板乃至天板を上記と同様に構成すること、下支え板を厚肉板に上向き傾斜のガイド面と平板面を形成したものとすること等を含めて、本発明の実施に当って前枠又は梁、吊持金具、サポート柱、係脱金具、各金具基部、固定軸、下支え板、係脱溝等の各具体的形状、構造、材質、これらの関係、これらに対する付加等は、上記発明の要旨に反しない限り様々な形態のものとすることができる。
【図面の簡単な説明】
【００３０】
【図１】カーポートの斜視図である。
【図２】カーポートの屋根先端部位とサポート柱上端の関係を示す正面側の縦断面図である。
【図３】カーポートの屋根先端部位とサポート柱上端の関係を示す側面側の側面図である。
【図４】吊持金具と係脱金具の関係を示す係脱金具挿入状態の底面図である。
【図５】吊持金具と係脱金具の関係を示すサポート柱回動状態の底面図である。
【図６】吊持金具の正面図である。
【図７】吊持金具の底面図である。
【図８】固定軸の拡大平面図である。
【図９】吊持金具における下支え板の平面図である。
【図１０】吊持金具における下支え板の縦断面図である。
【図１１】係脱金具の平面図である。
【図１２】支柱に対するサポート柱添設収納状態を示す側面図である。
【図１３】サポート柱の地表支持金具を示す縦断面図である。
【符号の説明】
【００３１】
１  カーポート
１１  支柱
１２  片持ち屋根
１３  梁
１４  前枠
２  サポート柱
２１  上位の中空柱材
２１１  幅広溝
２２  下位の中空柱材
２３  貫通ボルト
２３１  ナット
２４  小口キャップ
２４１  フック受孔
２５  Ｓ字状金具
２６  蝶ナット
３  上吊支持金具
４  吊持金具
４１  金具基部
４１１  起立片
４１２  ボルト透孔
４１３  底板
４１４  挿入表示
４２  固定軸
４２１  ボルト透孔
４３  下支え板
４３１  ガイド面
４３２  平板面
４４  固定ボルト
５  係脱金具
５１  金具基部
５１１  固定片
５１２  ネジ透孔
５１３  天板
５１４  係脱溝
５１５  受入ガイド
６  地表支持金具
６１  受具
６１１  支持杆
６２  係止金具
６２１  金具基部
６２２  コ字状溝
６３  落し棒
【図１】
2010138556.tif 000003
【図２】
2010138556.tif 000004
【図３】
2010138556.tif 000005
【図４】
2010138556.tif 000006
【図５】
2010138556.tif 000007
【図６】
2010138556.tif 000008
【図７】
2010138556.tif 000009
【図８】
2010138556.tif 000010
【図９】
2010138556.tif 000011
【図１０】
2010138556.tif 000012
【図１１】
2010138556.tif 000013
【図１２】
2010138556.tif 000014
【図１３】
2010138556.tif 000015